(57)【要約】【課題】発信者の動作モードや現在位置情報等の動的な情報を発信時に相手に知らせることで発信者の状況を通知することができる移動型通話装置及びこの通話方法を提供する。【解決手段】  外部の移動型通話装置Ｍと無線通信を行う通信部２００と、ボコーダからの音声信号を変調して通信部により送信し、通信部が受信した音声信号を復調してスピーカで再生することで、外部の移動型通話装置と通話を行う通話部２０８と、画像表示を行う表示部２３３と、通信部が着信を検出した通信情報の中に発信者の移動型通話装置の動作モードに関する情報があれば、着信通知と共に表示部に表示して通話のための操作を待機すべく制御する制御部２３１とを有する移動型通話装置。  【選択図】図１
2006157695.tif 000002
【特許請求の範囲】
【請求項１】
外部の移動型通話装置と無線通信を行う通信部と、
ボコーダからの音声信号を変調して前記通信部により送信し、前記通信部が受信した音声信号を復調しスピーカで再生することで、外部の移動型通話装置と通話を行う通話部と、
前記通信部が無線通信で受けた通信情報に応じて画像表示を行う表示部と、
前記通信部が着信を検出した通信情報の中に発信者の移動型通話装置の動作モードに関する情報があれば、着信通知と共に前記表示部に表示して通話のための操作を待機すべく制御する制御部とを具備することを特徴とする移動型通話装置。
【請求項２】
前記発信者情報の動作モードとは、マナーモードとハンズフリーモードとの少なくとも一方であることを特徴とする請求項１記載の移動型通話装置。
【請求項３】
通信相手から前記発信者の移動型通話装置の位置情報に関する情報を受けると、これを前記表示部で表示することを特徴とする請求項１記載の移動型通話装置。
【請求項４】
通信相手から前記発信者情報として位置情報を伴う信号を受けると、前記位置情報に応じた地図画像を記憶領域から読み出し、この地図画像を前記表示部で表示することを特徴とする請求項１記載の移動型通話装置。
【請求項５】
前記発信者情報に応じた画像情報を前記通信部から送信するために、前記発信者情報に応じて画像形成を行う画像形成部を更に有することを特徴とする請求項１記載の移動型通話装置。
【請求項６】
前記制御部は、前記通信部が通信する基地局の位置情報を通信により取得し、この基地局の位置情報に基づく発信者の移動型通話装置の現在位置情報を、前記外部の移動型通話装置へ送信するべく制御する請求項１記載の移動型通話装置。
【請求項７】
前記発信者の移動型通話装置の現在位置情報を他の通信装置と通信を行うことで検出する検出部を更に有し、これにより検出した緯度及び経度を前記通信部を用いて前記外部の移動型通話装置へ送信するべく制御する請求項１記載の移動型通話装置。
【請求項８】
前記発信者の移動型通話装置の現在位置情報を他の通信装置と通信を行うことで検出する検出部を更に有し、検出した現在位置情報に応じた地図画像情報を前記通信部を用いて前記外部の移動型通話装置へ送信するべく制御する請求項１記載の移動型通話装置。
【請求項９】
前記発信者の移動型通話装置の現在位置情報を他の通信装置と通信を行うことで検出する検出部を更に有し、現在位置情報を所定時間毎に測定することで移動速度を算出しこれを前記通信部を用いて前記外部の移動型通話装置へ送信するべく制御する請求項１記載の移動型通話装置。
【請求項１０】
大気中の温度又は湿度を検出する検出部を更に有し、検出した温度又は湿度情報を前記通信部を用いて前記外部の移動型通話装置へ送信するべく制御する請求項１記載の移動型通話装置。
【請求項１１】
外部の移動型通話装置と無線通信を行い、着信を検出した通信情報の中に発信者の移動型通話装置の動作モードに関する情報があれば、着信通知と共にこれを表示部に表示して通話のための操作を待機することを特徴とする移動型通話装置の通話方法。
【請求項１２】
前記発信者情報の動作モードとは、マナーモードとハンズフリーモードとの少なくとも一方であることを特徴とする請求項１１記載の通話方法。
【請求項１３】
通信相手から前記発信者情報の位置情報に関する情報を受けると、これを前記移動型通話装置が有する表示部で表示することを特徴とする請求項１１記載の通話方法。
【請求項１４】
通信相手から前記発信者情報として位置情報を伴う信号を受けると、前記位置情報に応じた地図画像を記憶領域から読み出し、この地図画像を前記移動型通話装置が有する表示部で表示することを特徴とする請求項１１記載の通話方法。
【請求項１５】
前記発信者情報に応じた画像情報を前記搬送波に付加して送信するために、前記発信者情報に応じて画像形成を行うことを特徴とする請求項１１記載の通話方法。
【請求項１６】
前記発信者の移動型通話装置が通信を行う基地局の位置情報を通信により取得し、この基地局の位置情報に基づく発信者の移動型通話装置の現在位置情報を、前記外部の移動型通話装置へ送信することを特徴とする請求項１１記載の通話方法。
【請求項１７】
前記発信者の移動型通話装置の現在位置情報を他の通信装置と通信を行うことで検出し、検出した緯度及び経度を前記外部の移動型通話装置へ送信するべく制御する請求項１１記載の通話方法。
【請求項１８】
前記発信者の移動型通話装置の現在位置情報を他の通信装置と通信を行うことで検出し、検出した現在位置情報に応じた地図画像情報を前記外部の移動型通話装置へ送信するべく制御する請求項１１記載の通話方法。
【請求項１９】
前記発信者の移動型通話装置の現在位置情報を他の通信装置と通信を行うことで検出し、検出した現在位置情報を所定時間毎に測定することで移動速度を算出しこれを前記外部の移動型通話装置へ送信するべく制御する請求項１１記載の通話方法。
【請求項２０】
外部の通話装置と通信を行い、着信を検出した通信情報の中に発信者の通話装置の動作モードに関する情報があれば、着信通知と共にこれを表示部に表示して通話のための操作を待機することを特徴とする通話装置の通話方法。
【発明の詳細な説明】
【技術分野】
【０００１】
本発明は、移動型通話装置に関し、特に、通話の際に動作モード他の発信者情報を、通話信号と共に付加して送信する移動型通話装置及び通話方法に関する。
【背景技術】
【０００２】
最近、デジタル技術の進歩に伴い、携帯電話が広く普及してきている。これらの携帯電話においては、ＧＰＳ（Global Position System）等の発信者の位置情報を搭載したものが知られている。
【０００３】
特許文献１においては、携帯電話にＧＰＳ処理部を搭載しており、相手側の要求に応じて自身の位置情報を知らせるものが示されている。ここでは、必ずしも発信者は常に自分の位置情報を知らせるわけではなく、一定条件下の元の通知となっており、これにより個人情報のセキュリティが保たれている。
【特許文献１】特開２００３−３０９８７６号公報。
【発明の開示】
【発明が解決しようとする課題】
【０００４】
しかし、従来技術である特許文献１は、ＧＰＳ情報が送られてくるとだけ示されており、着信時に発信者の動作モード等の他の情報を知らせることが特に示されていないという問題がある。
【０００５】
本発明は、発信者の動作モードや現在位置情報等の動的な情報を発信時に相手に知らせることで誰からかかってきたのかだけではなく、相手がどのような状況に置かれているかについて知らせることができる移動型通話装置及びこの通話方法を提供することを目的とする。
【課題を解決するための手段】
【０００６】
本発明の一実施形態である移動型通話装置は、外部の移動型通話装置と無線通信を行う通信部と、ボコーダからの音声信号を変調して前記通信部により送信し、前記通信部が受信した音声信号を復調してスピーカで再生することで、外部の移動型通話装置と通話を行う通話部と、前記通信部が無線通信で受けた通信情報に応じて画像表示を行う表示部と、前記通信部が着信を検出した通信情報の中に発信者の移動型通話装置の動作モードに関する情報があれば、着信通知と共に前記表示部に表示して通話のための操作を待機すべく制御する制御部とを具備することを特徴とする移動型通話装置である。
【発明の効果】
【０００７】
本発明に係る移動型通話装置においては、発信者の動的な情報、これは現在使用している動作モード（マナーモードやハンズフリーモード）を着信の際に表示するものである。これにより、現在、着信した発信者の諸情報を相手に知らせることで、相手が誰であり、移動中（運転中）であるとか、現在、地方に出張中である等の状況を瞬時に知らせることが可能となるものである。
【発明を実施するための最良の形態】
【０００８】
以下、この発明の実施の形態について図面を参照して詳細に説明する。  
本発明の一実施形態である移動型通話装置につき、図１は、本発明の一実施形態に係る移動型通話装置の構成の一例を示すブロック図、図２は、同じく移動型通話装置が他の移動型通話装置と通話を行う際の状況の一例を説明する説明図である。
【０００９】
＜本発明の一実施形態である移動型通話装置＞
本発明の一実施形態である情報再生システムを構成する移動型通話装置を図面を用いて説明する。移動型通話装置Ｍは、通信部２００と、アンテナ２０１と、デュプレクサ２０２と、ＲＦ受信利得可変増幅器２０３と、ＲＦ帯域制限フィルタ２０４と、周波数変換器２０５と、ＩＦ帯域制限フィルタ２０６と、ＩＦ受信利得可変増幅器２０７と、変調・復調部２０８と、ＩＦ送信利得可変増幅器２１１と、周波数変換器２１２と、ＲＦ帯域制限フィルタ２１３と、ＲＦ送信利得可変増幅器２１４と、電力増幅器２１５と、アイソレータ２１６と、ボコーダ２２３と、スピーカ２２４とを有している。
【００１０】
又、更に、移動型通話装置Ｍは、全体の動作を制御すると共に相手情報表示機能、自己情報送信機能、基地情報処理機能等を有する制御部２３１と、外部への接続のためのＩ／Ｆ部２３２と、これに接続され操作情報や写真画像等を表示する表示部２３３と、少なくとも地図情報等を記憶しているＲＡＭ（Random Access Memory）等の記憶部２３５と、ＣＣＤカメラ素子等のカメラ部２３６と、ＧＰＳアンテナを伴うＧＰＳ（Global Position System）検出部２３８と、複数のスイッチ等を有している操作部２３４と、ブルートゥースＩ／Ｆ部等の無線通信部２３２とを有している。ここで、ＧＰＳとは、２４個の衛星と地上の制御局とを利用して、ユーザの位置を測定するシステムであり、４つ以上の衛星からの電波の到着時間の差によってユーザの位置を測定することにより、メートル単位での現在位置の測定が可能となるものである。
【００１１】
又、変調・復調部２０８は、例えば直交復調部２８１と、Ａ／Ｄ変換部２８２と、情報信号復調部２８３と、復号化部２９２とからなり、更に、ボコーダ２２３からの信号を暗号化する暗号化部２８９と、情報信号変調部２８４と、Ｄ／Ａ変換部２８５と、直交変調部２８６とにより構成される。この構成において、直交復調部２８１で直交復調された信号はＡ／Ｄ変換部２８２でＡ／Ｄ変換され、信号復調部２８３で情報信号復調されて、復号化部２９２により復号されて出力される。
【００１２】
この移動型通話装置Ｍはこのような構成において、受信処理について説明すると、基地局から送信されるフォワードリンク信号はアンテナ２０１で受信、デュプレクサ２０２で受信機側回路へ供給され、ＲＦ受信利得可変増幅器２０３で増幅あるいは減衰され、ＲＦ帯域制限フィルタ２０４で不要成分をフィルタリングされ、周波数変換器２０５でＲＦ帯からＩＦ帯へ周波数変換され、ＩＦ帯域制限フィルタ２０６で不要成分をフィルタリングされ、ＩＦ受信利得可変増幅器２０７で増幅あるいは減衰され、変調・復調部２０８へ入力する。
【００１３】
変調・復調部２０８は、例えば直交復調部２８１と、Ａ／Ｄ変換部２８２と、情報信号復調部２８３と、情報信号変調部２８４と、Ｄ／Ａ変換部２８５と、直交変調部２８６で構成される。
【００１４】
ここで、暗号化部２８９と復号化部２９２とは、共通の暗号鍵情報で暗号化され復号されることが好適であり、暗号化処理により通話される音声情報の不当な傍聴を防止するものである。しかし、厳密には、送信側の移動型通話部からの暗号化のための暗号鍵情報と受信側の復号化部２９２との鍵情報が共通であればよい。
【００１５】
この構成を有する移動型通話装置Ｍの受信処理について以下に説明すると、表示部２３３の操作情報の表示に応じて、ユーザの操作部２３４から与えられる操作情報に応じ、制御部２３１の動作制御に従って、以下のような動作が行われる。すなわち、直交復調部２８１で直交復調された信号は、Ａ／Ｄ変換部２８２でＡ／Ｄ変換され信号復調部２８３で情報信号復調され、更に復号化部２９２で復号されて音声としてスピーカ２２４に出力される。
【００１６】
又、更にこの移動型通話装置Ｍの送信処理について以下に説明すると、同様に、表示部２３３の操作情報の表示に応じて、ユーザの操作部２３４から与えられる操作情報に応じ、制御部２３１の動作制御に従って、以下のような動作が行われる。すなわち、移動局から送信されるリバースリンク信号はボコーダ２２３により与えられ、これを暗号化部２８９にて暗号化する。この暗号化された暗号化信号は、情報信号変調部２８４で変調されて出力されＤ／Ａ変換部２８５でＤ／Ａ変換、直交変調部２８６で直交変調され、ＩＦ送信利得可変増幅器２１１で増幅あるいは減衰され、周波数変換器２１２でＩＦ帯からＲＦ帯へ周波数変換され、ＲＦ帯域制限フィルタ２１３で不要成分をフィルタリングして、ＲＦ送信利得可変増幅器２１４で増幅あるいは減衰され、電力増幅器２１５で増幅され、アイソレータ２１６を介してデュプレクサ２０２でアンテナ２０１ヘ供給され、空間へ送信されるものである。
【００１７】
又、このような送受信処理を応用することで、基地局Ｂを経由してインターネットに接続することが可能となり、ＵＲＬを指定して所望のサーバＳ等に対して情報の送受信を行ったり、ｅメール等を利用することが可能である。
【００１８】
＜本発明の一実施形態である移動型携帯電話の動的情報の表示処理＞
次に、本発明の一実施の形態である動的情報の表示処理について、図面を用いて詳細に説明する。図３は、本発明の一実施形態に係る移動型通話装置により顔画像及びＧＰＳ位置情報に応じた地図情報を表示する例を示す図、図４は、同じく移動型通話装置により顔画像及び使用状況を表示する例を示す図、図５は、同じく移動型通話装置により顔画像及び位置情報に応じた地図情報を表示する例を示す図、図６は、同じく移動型通話装置により位置情報に応じた地図情報を表示する例を示す図、図７は、同じく移動型通話装置の発信時の処理の一例を示すフローチャート、図８は、同じく移動型通話装置の着信時・通話時の処理の一例を示すフローチャート、図９は、同じく移動型通話装置の発信時の処理の他の一例を示すフローチャート、図１０は、同じく移動型通話装置の着信時・通話時の処理の他の一例を示すフローチャートである。
【００１９】
（動的情報の送信処理）
本発明の一実施形態に係る動的情報の表示方法とは、着信側の移動型通話装置において、着信を検出した通信情報の中に発信者の移動型通話装置の動作モードに関する情報があれば、着信通知と共に表示部に表示した上で、通話キーの押下を待機するというものである。このためには、発信側の移動型通話装置Ｍ１においての動的情報の生成が必要となる。
【００２０】
すなわち、本発明に係る移動型通話装置においては、図２に示すように、発信者の移動型通話装置Ｍ１に近い基地局Ｂ１と、受信者の移動型通話装置Ｍ２に近い基地局Ｂ２とを用いて通話処理を行うものである。ここで、移動型通話装置の基地局同士の通信方法をインターネットとするＩＰ電話も好適である。又、基地局同士の通信方法を専用の有線通信とすることも好適であり、同時に、専用の無線通信であることもよい。又、更に、これらの３つの方法を部分的に併せたものであっても構わない。
【００２１】
このような状況で、着信時において（又は通話中）、例えば、図３乃至図６のように、発信者の画像や、ＧＰＳ又は基地局に応じた簡易な地図画像、温度・湿度情報、マナーモード、ハンズフリーモード等の動作モード、ＧＰＳ又は基地局を用いた移動速度、ＧＰＳ又は基地局に応じた地名、ＧＰＳ又は基地局に応じた緯度・経度・詳細な地図画像等が表示されるものである。
【００２２】
初めに、発信者の移動型通話装置Ｍ１において、図７のフローチャートに従って、説明する。初めに、本発明に係る動的情報の転送処理は、ユーザの任意の設定により行われる動作モードの一つである。これらの処理は、発信者の画像や、ＧＰＳ又は基地局に応じた
簡易な地図画像、温度・湿度情報、マナーモード、ハンズフリーモード等の動作モード、ＧＰＳ又は基地局を用いた移動速度、ＧＰＳ又は基地局に応じた地名、ＧＰＳ又は基地局に応じた緯度・経度・詳細な地図画像等を表示するものである。
【００２３】
すなわち、発信者が相手の移動型通話装置Ｍ２に対して発信するべく、電話番号、発信操作がなされれば（Ｓ１１）、現在、動的情報の表示モードが選択されていれば（このモードはユーザが任意に選択することが可能である）、現在の動作モード情報を付加するかどうかが判断される（Ｓ１２）。すなわち、ユーザが動的情報表示モードを選択し、更に、表示させる項目に、現在のモード情報（マナーモード、ハンズフリーモード等）を設定することで、この設定に応じて、制御部２３１は、現在の動作モードにおいて、マナーモードやハンズフリーモード等が選ばれていれば、これらのモードが選択されていることを、変調された音声信号に加えるべく、変調部２８４の出力に重畳させる（Ｓ１３）。同様に、この段階で、温度・湿度検出部２３７からの温度・湿度情報が制御部２３１を介して、同様に変調部２８４の出力に重畳される。
【００２４】
同様に、ＧＰＳ情報やその他の情報を音声情報に付加させるべく設定されている場合は（Ｓ１４）、内蔵されているＧＰＳ検出部２３８の出力に応じた位置情報及び関連情報（緯度・経度、対応の地図情報、移動速度、温度・湿度等）を、同様に変調部２８４の出力に重畳させる（Ｓ１５）。同様に、ここで、ＧＰＳ検出部２３８の出力を一定時間毎に変化量を計算することで、発信者の移動速度を算出することができ、この移動速度情報を同様に重畳することが好適である。
【００２５】
同様に、先の設定において、基地局の情報（位置情報その他）を検出して添付することが選択されている時は（Ｓ１６）、通信部２００の通信機能を用いることで図２の基地局Ｂ１にアクセスし、ここで基地局の位置情報その他を取得し、取得した基地局の位置情報その他を、再び、変調された音声信号に加えるべく、変調部２８４の出力に重畳させる（Ｓ１７）。そして、変調された音声情報と上述した動的情報である添付情報とを通信部２００により、基地局Ｂ１、基地局Ｂ２を介して、通信相手の移動型通話装置Ｍ２へと送信するものである（Ｓ１８）。
【００２６】
（動的情報の表示処理）
次に、このようにして送信された動的情報の表示処理について、以下に図８のフローチャートを用いて詳細に説明する。すなわち、移動型通話装置Ｍ２において、相手の移動局である移動型通話装置Ｍ１から着信があると（Ｓ２１）、設定画面においてユーザにより動的情報表示モードが選択されていれば、動的情報の表示処理がなされるものである。送信されてきた付加情報をＡ／Ｄ変換部２８３から取得し、制御部２３１の相手情報表示機能によってこれを解析し、変調信号に現在の動作モード情報が付加されていると判断すれば（Ｓ２２）、付加されている現在のモード情報（マナーモード、ハンズフリーモード等）に基づく画像情報を生成する（Ｓ２３）。これはすなわち、図４に示すように、顔画像表示Ｄ１、気温・湿度表示Ｄ３、マナーモード表示Ｄ４、ハンズフリーモード表示Ｄ５、移動速度表示Ｄ６が示されるような画像情報を、制御部２３１の相手情報表示機能の働きにおいて生成するものである。
【００２７】
同様に、制御部２３１が、変調信号にＧＰＳ情報が付加されていると判断すれば（Ｓ２４）、ＧＰＳ情報及び関連情報（緯度・経度、対応の地図情報等）に基づく画像情報を生成する（Ｓ２５）。これは、図５に示す地名情報Ｄ７、緯度情報Ｄ８、経度情報Ｄ９の表示画面である。更に、制御部２３１の相手情報表示機能の働きにおいて、ＧＰＳ情報の緯度・経度情報に基づき、この緯度・経度に応じた地図情報を、記憶部２３５から検索し、これを図３の簡易的地図情報Ｄ２のように生成することが好適である。又、簡易な地図情報だけではなく、図６に示すように、この緯度・経度に応じた詳細な地図情報の画像情報Ｄ１０を同様に記憶部２３５から検索し、表示用に生成することが好適である（Ｓ２５）。
【００２８】
更に、発信者の基地局の位置情報が変調信号に添付されている場合も（Ｓ２６）、同様に、図３の簡易地図Ｄ２や、図５の地名表示Ｄ７、緯度表示Ｄ８、経度表示Ｄ９、詳細な地図情報の画像情報Ｄ１０等が画像形成される（Ｓ２７）。同様に、顔画像情報が更にあれば、図４の顔画像情報Ｄ１等を生成して、上述した動的情報の表示情報Ｄ２乃至Ｄ１０と共にディスプレイに表示するものである（Ｓ２８）。又、この際に、発信者の電話番号も通知され、この電話番号が記憶部２３５に記録されている電話帳に氏名があれば、発信者の氏名も同時に画面表示することが好適である。
【００２９】
これにより、着信を受けたユーザは、現在の動作モードや、発信者の位置情報、添付されてきた顔画像等の画像情報等から、総合的に発信者の状況を知ることができ、電話帳に送信相手の電話番号がなくとも、着信相手を予測することができる。又、例えば、図４においては、発信者の顔画像や、現在、気温１０度（寒冷）、湿度９０％（雨模様）の状況の中、ハンズフリーモードで時速４５Ｋｍで運転中の状況から電話をかけてきている等の相手の様子をかなり知ることができ、電話に出るべきか否かの判断をより正確に下すことが可能となるものである。
【００３０】
＜他の動的情報の表示処理（発信側での画像形成）＞
次に、上述した動的情報の表示処理における、動的情報の画像形成処理は、上記の説明では着信側の移動型通話装置Ｍ２で行っていたが、この画像形成処理は、発信側の移動型通話装置Ｍ１で行うことも可能である。図９及び図１０のフローチャートは、発信側の移動型通話装置Ｍ１において動的情報の画像形成処理を行い、受信側の移動型通話装置Ｍ２においては、送信された画像情報をそのまま、表示部２３３に表示することを述べるものである。ここで、図７及び図８のフローチャートと共通した処理は、共通したステップにより説明を省略する。
【００３１】
すなわち、移動型通信装置Ｍ１においては、図９に示すように、ステップＳ１２で現在のモード情報を変調信号に付加するものと設定されると、制御部２３１は、現在の動作モードにおいて、マナーモードやハンズフリーモード等が選ばれていれば、これらのモードが選択されていることを画面上で表示するための図４に示すような画像情報Ｄ４，Ｄ５を生成した上で、変調された音声信号に加えるべく、変調部２８４の出力に重畳させる（Ｓ３１）。これにより、移動型受信装置Ｍ２が従来型の動的情報表示モードに対応しない機種であったとしても、画像表示機能さえあれば、発信者の動的情報の表示処理を行うことができる。
【００３２】
又、内蔵されているＧＰＳ検出部２３８の出力に応じた位置情報及び関連情報（緯度・経度、対応の地図情報、移動速度、温度・湿度等）を、同様に変調部２８４の出力に重畳させる（Ｓ３２）。
【００３３】
又、基地局の位置情報等を検出して付加するのであれば（Ｓ１６）、制御部２３１の制御下により検出した基地局の情報を示す画像を例えば図３の地図画像Ｄ２や図５の地名画像Ｄ７、緯度画像Ｄ８、経度画像Ｄ９、詳細な地図画像Ｄ１０を、記録部２３５の地図情報等に基づいて生成して変調部２８４へ供給し、変調信号に追加する（Ｓ３３）。
【００３４】
又、移動型通信装置Ｍ２においては、図１０に示すような手順で処理されるが、基本的に画像形成を行わず、添付された画像を表示するべく制御するものである。すなわち、相手の移動型通信装置Ｍ１から着信があった時点で（Ｓ２１）、現在のモード情報に応じた画像が付加されていれば（Ｓ４１）、付加されている現在のモード情報（マナーモード、ハンズフリーモード等）に基づく画像情報を表示する（Ｓ４２）。これはすなわち、図４に示すように、顔画像表示Ｄ１、気温・湿度表示Ｄ３、マナーモード表示Ｄ４、ハンズフリーモード表示Ｄ５、移動速度表示Ｄ６が示されるような画像情報を、制御部２３１の相手情報表示機能の働きにおいて表示するものである。
【００３５】
同様に、ＧＰＳ情報に応じた画像が付加されていれば（Ｓ４３）、これら、ＧＰＳ情報及び関連情報（緯度・経度、対応の地図情報、移動速度、温度・湿度）に基づく図４に示すような画像画面を表示する（Ｓ４４）。更に、発信者の基地局の情報に応じた画像が復調画面に添付されていれば（Ｓ４５）、発信者の基地局の情報に応じた画像を表示する（Ｓ４６）。
【００３６】
このようにして、着信側の移動型通信装置Ｍ２においては、動的情報からの画像形成機能をもっていなくとも、発信側の移動型通信装置Ｍ１において表示のための画像情報がすでに生成されて送られてくる。従って、着信時の表示機能さえあれば、例えば、旧バージョンの機種や他メーカの機種においても、動的情報の表示機能を利用することが可能となるものである。
【００３７】
なお、上述した実施形態においては、移動型通話装置（携帯電話）により実施形態を説明した。しかしながら、本発明は移動型通話装置に限るものではなく、一方が常置型電話（例えば、家庭でのＴＶにＴＶ電話機能を実装した場合等を含む）においても、図７乃至図１０のフローチャートに示すように、同等の手順により実施することが可能である。更に、両方が常置型電話の場合でも、同等の動作手順により互いのユーザの動的な状況を相手に知らせることが可能となる。これにより、常置型から発信（発呼）する場合でも、ＧＰＳ情報や環境情報、動作モードなどが設定に応じて付加される機能は、着呼側にとっても相手の状況を推定することが可能となり、ユーザにとって有用である。
【００３８】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。例えば、上記の実施形態では、音声ファイル等を中心に説明してあるが、本発明の実施形態はこれに限るものではなく、動画ファイルやデータベース等のデジタル情報一般を対象としたものである。従って、本発明は、開示された原理と新規な特徴に矛盾しない広範な範囲に及ぶものであり、上述した実施形態に限定されるものではない。
【図面の簡単な説明】
【００３９】
【図１】本発明の一実施形態に係る移動型通話装置の構成の一例を示すブロック図。
【図２】本発明の一実施形態に係る移動型通話装置が他の移動型通話装置と通話を行う際の状況の一例を説明する説明図。
【図３】本発明の一実施形態に係る移動型通話装置により顔画像及びＧＰＳ位置情報に応じた地図情報を表示する例を示す図。
【図４】本発明の一実施形態に係る移動型通話装置により顔画像及び使用状況を表示する例を示す図。
【図５】本発明の一実施形態に係る移動型通話装置により顔画像及び位置情報に応じた地図情報を表示する例を示す図。
【図６】本発明の一実施形態に係る移動型通話装置により位置情報に応じた地図情報を表示する例を示す図。
【図７】本発明の一実施形態に係る移動型通話装置の発信時の処理の一例を示すフローチャート。
【図８】本発明の一実施形態に係る移動型通話装置の着信時・通話時の処理の一例を示すフローチャート。
【図９】本発明の一実施形態に係る移動型通話装置の発信時の処理の他の一例を示すフローチャート。
【図１０】本発明の一実施形態に係る移動型通話装置の着信時・通話時の処理の他の一例を示すフローチャート。
【符号の説明】
【００４０】
２００…通信部、２０８…変調・復調部、２３１…制御部（相手情報表示機能／自己情報送信機能／基地情報処理機能）、２３５…記憶部、２３６…カメラ部、２３７…温度・湿度検出部、２３８…ＧＰＳ検出部。
【図１】
2006157695.tif 000003
【図２】
2006157695.tif 000004
【図３】
2006157695.tif 000005
【図４】
2006157695.tif 000006
【図５】
2006157695.tif 000007
【図６】
2006157695.tif 000008
【図７】
2006157695.tif 000009
【図８】
2006157695.tif 000010
【図９】
2006157695.tif 000011
【図１０】
2006157695.tif 000012